(57)【要約】  本技術によるＥＬ表示装置は、少なくとも赤色、緑色および青色の発光色で発光する発光部と、発光部の発光を制御する薄膜トランジスタアレイ装置とを備えている。発光部は、バンクにより区画された領域に少なくとも赤色、緑色および青色の発光層を配置することにより構成される。発光部は、バンク（２８）の下部に延在するように形成される陽極（２３）と、バンク（２８）内において陽極（２３）上に形成される正孔輸送層（２４）と、正孔輸送層（２４）上に形成される発光層（２５）とを有している。正孔輸送層（２４）は、バンク（２８）の側面に接する周端部（２４ｂ）が中央部（２４ａ）から盛り上がり、さらに発光層（２５）は、バンク（２８）の側面に接する周端部（２５ｂ）が正孔輸送層（２４）の周端部（２４ｂ）上に形成されている。
2014136150.tif 000002
【特許請求の範囲】
【請求項１】
少なくとも赤色、緑色および青色の発光色で発光する発光部と、前記発光部の発光を制御する薄膜トランジスタアレイ装置とを備え、前記発光部は、バンクにより区画された領域に少なくとも赤色、緑色および青色の発光層を配置することにより構成され、
前記発光部は、前記バンクの下部に延在するように形成される電極と、前記バンク内において前記電極上に形成される正孔輸送層と、前記正孔輸送層上に形成される発光層とを有し、
前記正孔輸送層は、バンクの側面に接する周端部が中央部から盛り上がり、
前記発光層は、バンクの側面に接する周端部が前記正孔輸送層の周端部上に形成されているＥＬ表示装置。
【請求項２】
前記発光層は、中央部の平均膜厚に対し、バンクの側面に接する周端部の平均膜厚が２０％以上である請求項１に記載のＥＬ表示装置。
【発明の詳細な説明】
【技術分野】
【０００１】
本技術は、ＥＬ表示装置に関するものである。
【背景技術】
【０００２】
近年、次世代の表示装置が盛んに開発されており、駆動用基板に、第１電極、発光層を含む複数の有機層および第２電極を順に積層したＥＬ（Ｅｌｅｃｔｒｏｌｕｍｉｎｅｓｃｅｎｃｅ）表示装置が注目されている。ＥＬ表示装置は、自発光型であるので視野角が広く、バックライトを必要としないので省電力が期待でき、応答性が高く、装置の厚みを薄くできるなどの特徴を有している。そのため、テレビ等の大画面表示装置への応用が強く望まれている。【０００３】
カラーディスプレイ用としては赤と青と緑の三色の画素による表示が最も一般的であり、省電力化や信頼性などを目的として、赤と青と緑と白の四色の画素や、赤と青と緑と薄青の四色の画素による表示技術も各社で開発が進んでいる。【０００４】
有機ＥＬ発光素子においては、画素毎に赤と青と緑の三色や、赤と青と緑と白などの四色に有機ＥＬ発光部を形成する必要がある。【０００５】
個別の有機ＥＬ部を形成する工法として最も一般的な工法は、微細な穴の開いたファインメタルマスクを用いて、穴の部分だけに蒸着により有機ＥＬ部を形成する工法である。例えば、赤用ファインメタルマスクにより赤色に発色する有機ＥＬ部を蒸着により形成し、緑用ファインメタルマスクにより緑色に発色する有機ＥＬ部を蒸着により形成し、青用ファインメタルマスクにより青色に発色する有機ＥＬ部を蒸着により形成して、赤と緑と青の発光部が形成される。【０００６】
一方大型の有機ＥＬ発光素子の作成やコストダウンには、大型基板による有機ＥＬ発光素子技術の開発が重要である。【０００７】
近年、大型基板による有機ＥＬ発光素子を形成する方法として二つの方法が注目されている。【０００８】
一つ目の工法は、白色有機ＥＬ素子を表示領域全域に形成し、赤と緑と青と白の四色のカラーフィルターにより着色表示させる方法である。この方法は大画面を形成したり、高精細ディスプレイ作成には有効な方法である。【０００９】
もう一つの工法は、塗布法により有機ＥＬ発光部を形成する方法である。塗布法としては様々な工法が検討されてきたが、大きく分けると、凸版印刷やフレキソ印刷やスクリーン印刷やグラビア印刷などを用いるものと、インクジェット法を用いるものである（特許文献１参照）。
【先行技術文献】
【特許文献】
【００１０】
【特許文献１】特開２０１１−２４９０８９号公報
【発明の概要】
【００１１】
本技術によるＥＬ表示装置は、少なくとも赤色、緑色および青色の発光色で発光する発光部と、発光部の発光を制御する薄膜トランジスタアレイ装置とを備えている。発光部は、バンクにより区画された領域に少なくとも赤色、緑色および青色の発光層を配置することにより構成される。発光部は、バンクの下部に延在するように形成される電極と、バンク内において電極上に形成される正孔輸送層と、正孔輸送層上に形成される発光層とを有している。正孔輸送層は、バンクの側面に接する周端部が中央部から盛り上がり、さらに発光層は、バンクの側面に接する周端部が正孔輸送層の周端部上に形成されている。
【００１２】
本技術によれば、大画面のＥＬ表示装置の製造に適するインクジェット法を用い、しかもサブピクセル毎の発光効率のばらつきを抑制し、高精細化が可能なＥＬ表示装置を提供することができる。
【図面の簡単な説明】
【００１３】
【図１】図１は本技術の一実施の形態による有機ＥＬ表示装置の斜視図である。
【図２】図２は画素回路の回路構成を示す電気回路図である。
【図３】図３はＥＬ表示装置において、ＲＧＢの画素部分の断面構造を示す断面図である。
【図４】図４はＥＬ表示装置の発光層部分の要部構造を拡大して示す断面図である。
【発明を実施するための形態】
【００１４】
以下、本技術の一実施の形態によるＥＬ表示装置の製造方法について、図１〜図４の図面を用いて説明する。
【００１５】
但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１６】
なお、発明者らは、当業者が本技術を十分に理解するために添付図面および以下の説明を提供するのであって、これらによって請求の範囲に記載の主題を限定することを意図するものではない。
【００１７】
図１はＥＬ表示装置の概略構成を示す斜視図、図２は画素を駆動する画素回路の回路構成を示す図である。
【００１８】
図１、図２に示すように、ＥＬ表示装置は、複数個の薄膜トランジスタを配置した薄膜トランジスタアレイ装置１と、下部電極である陽極２、有機材料からなる発光層３及び透明な上部電極である陰極４からなる発光部とを積層した構成である。発光部は、薄膜トランジスタアレイ装置１により発光制御される。また、発光部は、一対の電極である陽極２と陰極４との間に発光層３を配置した構成である。陽極２と発光層３の間には正孔輸送層が積層形成され、発光層３と透明な陰極４の間には電子輸送層が積層形成されている。薄膜トランジスタアレイ装置１には、複数の画素５がマトリックス状に配置されている。
【００１９】
各画素５は、それぞれに設けられた画素回路６によって駆動される。また、薄膜トランジスタアレイ装置１は、行状に配置される複数のゲート配線７と、ゲート配線７と交差するように列状に配置される複数の信号配線としてのソース配線８と、ソース配線８に平行に延びる複数の電源配線９（図１では省略）とを備える。
【００２０】
ゲート配線７は、画素回路６のそれぞれに含まれるスイッチング素子として動作する薄膜トランジスタ１０のゲート電極１０ｇが行毎に接続される。ソース配線８は、画素回路６のそれぞれに含まれるスイッチング素子として動作する薄膜トランジスタ１０のソース電極１０ｓが列毎に接続される。電源配線９は、画素回路６のそれぞれに含まれる駆動素子として動作する薄膜トランジスタ１１のドレイン電極１１ｄが列毎に接続される。
【００２１】
図２に示すように、画素回路６は、スイッチング素子として動作する薄膜トランジスタ１０と、駆動素子として動作する薄膜トランジスタ１１と、対応する画素に表示するデータを記憶するキャパシタ１２とで構成される。
【００２２】
薄膜トランジスタ１０は、ゲート配線７に接続されるゲート電極１０ｇと、ソース配線８に接続されるソース電極１０ｓと、キャパシタ１２及び薄膜トランジスタ１１のゲート電極１１ｇに接続されるドレイン電極１０ｄと、半導体膜（図示せず）とで構成される。この薄膜トランジスタ１０は、接続されたゲート配線７及びソース配線８に電圧が印加されると、当該ソース配線８に印加された電圧値を表示データとしてキャパシタ１２に保存する。
【００２３】
薄膜トランジスタ１１は、薄膜トランジスタ１０のドレイン電極１０ｄに接続されるゲート電極１１ｇと、電源配線９及びキャパシタ１２に接続されるドレイン電極１１ｄと、陽極２に接続されるソース電極１１ｓと、半導体膜（図示せず）とで構成される。この薄膜トランジスタ１１は、キャパシタ１２が保持している電圧値に対応する電流を電源配線９からソース電極１１ｓを通じて陽極２に供給する。すなわち、上記構成のＥＬ表示装置は、ゲート配線７とソース配線８との交点に位置する画素５毎に表示制御を行うアクティブマトリックス方式を採用している。
【００２４】
また、ＥＬ表示装置において、少なくとも赤色、緑色および青色の発光色で発光する発光部は、少なくとも赤色（Ｒ）、緑色（Ｇ）、青色（Ｂ）の発光層を有する画素が複数個マトリクス状に配列されるように形成されている。各画素は、バンクによって互いに分離されている。このバンクは、ゲート配線７に平行に延びる突条と、ソース配線８に平行に延びる突条とが互いに交差するように形成することにより設けられる。そして、この突条で囲まれる部分、すなわちバンクの開口部にＲＧＢの発光層を有する画素が形成されている。
【００２５】
図３は、ＥＬ表示装置において、ＲＧＢの画素部分の断面構造を示す断面図である。図３に示すように、ＥＬ表示装置は、ガラス基板、フレキシブル樹脂基板などのベース基板２１上に、上述した画素回路６を構成する薄膜トランジスタアレイ装置２２を形成している。また、薄膜トランジスタアレイ装置２２には、平坦化絶縁膜（図示せず）を介して下部電極である陽極２３が形成されている。そして、陽極２３上には、正孔輸送層２４、有機材料からなる赤色、緑色、青色に発光する発光層２５、電子輸送層２６、透明な上部電極である陰極２７が順に積層形成され、これによりＲＧＢの有機ＥＬ発光部が構成されている。
【００２６】
また、発光部の発光層２５は、絶縁層であるバンク２８により区画された領域に形成されている。バンク２８は、陽極２３と陰極２７との絶縁性を確保するとともに、発光領域を所定の形状に区画するためのものであり、例えば酸化シリコンまたはポリイミドなどの感光性樹脂により構成されている。
【００２７】
なお、上記実施の形態においては、正孔輸送層２４、電子輸送層２６のみを示しているが、正孔輸送層２４、電子輸送層２６それぞれには、正孔注入層、電子注入層が積層形成されている。
【００２８】
このように構成された発光部は、窒化ケイ素などの封止層２９により被覆され、さらにこの封止層２９上に接着層３０を介して透明なガラス基板、フレキシブル樹脂基板などの封止用基板３１が全面にわたって貼り合わされることにより封止されている。
【００２９】
ここで、ベース基板２１としては、その形状、材質、大きさ等については、特に制限はなく、目的に応じて適宜選択することができる。例えば、無アルカリガラス、ソーダガラスなどのガラス材料やシリコン基板でも金属基板でも良い。また、軽量化やフレキシブル化を目的として高分子系材料を用いても良い。高分子系材料としては、ポリエチレンテレフタレート、ポリカーボネート、ポリエチレンナフタレート、ポリアミド、ポリイミドなどが適しているが、その他のアセテート系樹脂やアクリル系樹脂やポリエチレンやポリプロピレンやポリ塩化ビニル樹脂などの既知の高分子基板材料を用いても良い。高分子系材料を基板として用いるときには、ガラスなどの剛性のある基材の上に高分子基板を塗布法や貼り付けなどで形成した後、有機ＥＬ発光素子を形成し、その後ガラスなどの剛性のある基材を除去する製造方法が用いられる。
【００３０】
陽極２３は、アルミニウムやアルミニウム合金や銅などの導電性の良い金属材料や、光透過性のＩＺＯ、ＩＴＯ、酸化スズ、酸化インジウム、酸化亜鉛などの電気伝導度の高い金属酸化物や金属硫化物などにより構成される。成膜方法としては、真空蒸着法やスパッタリング法やイオンプレーティング法などの薄膜形成法が用いられる。
【００３１】
正孔輸送層２４は、電荷輸送としての働きを行うもので、ポリビニルカルバゾール系材料、ポリシラン系材料、ポリシロキサン誘導体、銅フタロシアニンなどのフタロシアニン系化合物や芳香族アミン系化合物などが用いられる。成膜方法としては、各種の塗布工法を用いることが可能であり、１０ｎｍ〜２００ｎｍ程度の厚みに形成される。また、正孔輸送層２４に積層される正孔注入層は、陽極２３からの正孔注入を高める層であり、酸化モリブデンや酸化バナジウムや酸化アルミニウムなどの金属酸化物、金属窒化物、金属酸化窒化物をスパッタ法により形成される。
【００３２】
発光層２５は、蛍光や燐光などを発光する有機系材料を主成分とし、必要に応じてドーパントを添加して特性を改善する。印刷法に適した高分子系有機材料としては、ポリビニルカルバゾール誘導体、ポリパラフェニリン誘導体、ポリフルオレン誘導体、ポリフェニレンビニレン誘導体などが用いられる。ドーパントは、発光波長のシフトや発光効率の改善のために用いられるものであり、色素系および金属錯体系のドーパントが数多く開発されている。また、大型基板に発光層２５を形成する場合には印刷法が適しており、各種の印刷法の中でもインクジェット法が用いられ、２０ｎｍ〜２００ｎｍ程度の厚みの発光層２５が形成される。
【００３３】
電子輸送層２６は、ベンゾキノン誘導体、ポリキノリン誘導体、オキサジアゾール誘導体などの材料が用いられる。成膜方法としては、真空蒸着法や塗布法が用いられ、通常１０ｎｍ〜２００ｎｍ程度の厚みに形成される。また、電子注入層は、バリウム、フタロシアニン、フッ化リチウムなどの材料が用いられ、真空蒸着法や塗布法により形成される。
【００３４】
陰極２７は、光の取り出し方向により材料が異なり、陰極２７側から光を取り出す場合は、ＩＴＯ、ＩＺＯ、酸化スズ、酸化亜鉛などの光透光性の導電材料を用いる。陽極２３側から光を取り出す場合は、白金、金、銀、銅、タングステン、アルミニウム及びアルミニウム合金などの材料を用いる。成膜方法としては、スパッタ法や真空蒸着法が用いられ、５０ｎｍ〜５００ｎｍ程度の厚みに形成される。
【００３５】
バンク２８は、領域内に発光層２５の材料を含む溶液を十分な量で充填するために必要な構造物で、フォトリソ法によって所定の形状に形成される。バンク２８の形状により、有機ＥＬ発光部のサブピクセルの形状を制御することができる。
【００３６】
ところで、有機ＥＬ発光部は、発光層２５の膜厚ばらつきによりサブピクセル毎の発光効率が大きく変化する。このサブピクセル毎の発光効率のばらつきに対しては、サブピクセル毎に流す電流に補正を加える駆動方法が用いられているが、有機ＥＬ発光部におけるサブピクセル毎の発光効率のばらつきについては、十分な改善が行われていないのが現状である。
【００３７】
このような課題に対して、発明者らが検討を行ったところ、発光層２５において、バンク２８に接する部分の膜厚が薄い場合、その部分に過大な電流が流れることが判明した。しかも、発光層２５の薄い部分は光取り出し効率も悪いため、結果としてバンク２８に接する部分の膜厚が薄い発光層２５を有するサブピクセルは、発光効率が低下することが判明した。具体的には、発光層２５のバンク２８に接する部分の膜厚が薄くなり、発光層２５において、陽極２３上の中央の平坦部に流れる電流の約１０００倍を越える過大な電流が流れると、発光効率が１０％以上低下することが判明した。
【００３８】
図４は、本技術によるＥＬ表示装置の発光部の要部構造を拡大して示す断面図である。図４に示すように、発光部は、バンク２８の下部に延在するように形成される一方の電極である陽極２３と、バンク２８内において陽極２３上に形成される正孔輸送層２４と、正孔輸送層２４上に形成される発光層２５とを有している。
【００３９】
図４において、正孔輸送層２４は、バンク２８内に形成したとき、陽極２３に接するように形成される中央部２４ａと、中央部２４ａから盛り上がり、かつバンク２８の側面に接する周端部２４ｂとを備える。また、発光層２５は、バンク２８内に形成したとき、正孔輸送層２４に接するように形成される中央部２５ａと、中央部２５ａから盛り上がり、かつバンク２８の側面に接する周端部２５ｂとを備える。
【００４０】
このように正孔輸送層２４は、バンク２８の側面に接する周端部２４ｂが中央部２４ａから盛り上がっている。また、発光層２５は、バンク２８の側面に接する周端部２５ｂが正孔輸送層２４の周端部２４ｂ上に形成される。これにより、発光層２５は、バンク２８に接する周端部２５ｂの膜厚が薄くなってしまうのを防ぐことができるため、発光層２５のバンク２８に接する部分に過大な電流が流れにくくなり、サブピクセル毎の発光効率の低下を抑制することが可能となる。
【００４１】
なお、発明者らが検討したところ、発光層２５の中央部２５ａの平均膜厚Ｌ１に対し、バンク２８の側面に接する周端部２５ｂの平均膜厚Ｌ２（バンク２８の側面に直角に直交する方向の膜厚）が２０％より小さくなると、周端部２５ｂに過大な電流が流れやすくなることが判明した。
【００４２】
表１は、発光層２５の中央部２５ａの平均膜厚Ｌ１が１２０ｎｍ、１６０ｎｍのサンプルを用意し、約１０００倍を越える過大な電流が流れる周端部２５ｂの平均膜厚Ｌ２を検討した結果を示すものである。表１は、発光層２５の中央部２５ａの平均膜厚Ｌ１が１２０ｎｍのサンプルについて、周端部２５ｂの平均膜厚Ｌ２が１８ｎｍ、２４ｎｍ、３０ｎｍの３種類のサンプルを試作した。平均膜厚Ｌ１が１６０ｎｍのサンプルについては、周端部２５ｂの平均膜厚Ｌ２が２４ｎｍ、３２ｎｍ、４０ｎｍの３種類のサンプルを試作した。それぞれのサンプルについて、発光層２５の周端部２５ｂに流れる電流を測定し、中央の平坦部に流れる電流に対して、約１０００倍を越える過大電流が流れるか否かを評価した結果を示している。
【００４３】
【表１】
2014136150.tif 000003
【００４４】
表１に示すように、平均膜厚Ｌ１が１２０ｎｍのサンプルの場合、平均膜厚Ｌ２が２４ｎｍ以上のサンプルは過大電流が流れなく、平均膜厚Ｌ１が１６０ｎｍのサンプルの場合、平均膜厚Ｌ２が３２ｎｍ以上のサンプルは、過大電流が流れない。すなわち、発光層２５は、中央部２５ａの平均膜厚Ｌ１に対し、バンク２８の側面に接する周端部２５ｂの平均膜厚Ｌ２が２０％より小さくなると、周端部２５ｂの部分に過大な電流が流れやすくなることが判明した。
【００４５】
したがって、発光層２５は、バンク２８の側面に接する周端部２５ｂは、バンク２８の側面に直角に直交する方向の平均膜厚Ｌ２が、中央部２５ａの平均膜厚Ｌ１に対し、２０％以上であることが望ましい。
【００４６】
以上のように本技術によれば、正孔輸送層２４のバンク２８の側面に接する周端部２４ｂが中央部２４ａから盛り上がり、かつ発光層２５のバンク２８の側面に接する周端部２５ｂが正孔輸送層２４の周端部２４ｂ上に形成されることにより、発光層２５のバンク２８に接する周端部２５ｂの膜厚が薄くなるのを防ぐことができ、発光層２５のバンク２８に接する部分に過大な電流が流れにくくなり、サブピクセル毎の発光効率の低下を抑制することが可能となる。
【００４７】
また、発光層２５は、周端部２５ｂの平均膜厚Ｌ２が中央部２５ａの平均膜厚Ｌ１に対し、２０％以上となるように形成することにより、過大電流の発生が抑制され、サブピクセル毎の発光効率の低下をより一層抑制することができる。
【００４８】
以上のように、本開示における技術の例示として、実施の形態を説明した。そのために、添付図面および詳細な説明を提供した。
【００４９】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００５０】
また、上述の実施の形態は、本開示における技術を例示するためのものであるから、請求の範囲またはその均等の範囲において種々の変更、置き換え、付加、省略などを行うことができる。
【産業上の利用可能性】
【００５１】
以上のように本技術によれば、ＥＬ表示装置の高精細化を容易に実現する上で有用な発明である。
【符号の説明】
【００５２】
１  薄膜トランジスタアレイ装置
２  陽極
３  発光層
４  陰極
５  画素
６  画素回路
７  ゲート配線
８  ソース配線
９  電源配線
１０，１１  薄膜トランジスタ
２１  ベース基板
２２  薄膜トランジスタアレイ装置
２３  陽極
２４  正孔輸送層
２４ａ  中央部
２４ｂ  周端部
２５  発光層
２５ａ  中央部
２５ｂ  周端部
２６  電子輸送層
２７  陰極
２８  バンク
２９  封止層
３０  接着層
３１  封止用基板
【図１】
2014136150.tif 000004
【図２】
2014136150.tif 000005
【図３】
2014136150.tif 000006
【図４】
2014136150.tif 000007
【手続補正書】
【提出日】平成28年10月6日(2016.10.6)
【手続補正１】
【補正対象書類名】特許請求の範囲
【補正対象項目名】全文
【補正方法】変更
【補正の内容】
【特許請求の範囲】
【請求項１】
少なくとも赤色、緑色および青色の発光色で発光する発光部と、前記発光部の発光を制御する薄膜トランジスタアレイ装置とを備え、前記発光部は、バンクにより区画された領域に少なくとも赤色、緑色および青色の発光層を配置することにより構成され、
前記発光部は、前記バンクの下部に延在するように形成される電極と、前記バンク内において前記電極上に形成される正孔輸送層と、前記正孔輸送層上に形成される発光層とを有し、
前記正孔輸送層は、バンクの側面に接する周端部が中央部から盛り上がり、前記発光層は、バンクの側面に接する周端部が前記正孔輸送層の周端部上に形成されており、
前記発光層は、中央部の平均膜厚に対し、バンクの側面に接する周端部の平均膜厚が２０％以上２５％以下である
ＥＬ表示装置。
【国際調査報告】
2014136150.tif 000008
2014136150.tif 000009
2014136150.tif 000010
2014136150.tif 000011